(57)【要約】【課題】バストをしっかりと保持し、バストを豊かに見せることができ、さらに、外からの見た目や感触に自然な感じを有するブラジャーを提供する。【解決手段】前面に向けて凸形状のカップを、該カップの前面側の被覆用表地22と、カップの後面側の被覆用裏地24との間に挟み、被覆用表地22と被覆用裏地24の周面を縫製して形成される左右一対のカップ部20,20を具えるブラジャーであって、カップ部20は、前面に向けて凸形状のウレタン製カップ30の前面側に、シリコンを充填し周面をフィルムで包囲したシリコン製カップ40を積層して形成される。【選択図】図２
0003128853.tif 000002
【実用新案登録請求の範囲】
【請求項１】
前面に向けて凸形状のカップを、該カップの前面側の被覆用表地(22)と、カップの後面側の被覆用裏地(24)との間に挟み、被覆用表地(22)と被覆用裏地(24)の周面を縫製して形成される左右一対のカップ部(20)(20)を具えるブラジャーであって、
カップ部(20)は、前面に向けて凸形状のウレタン製カップ(30)の前面側に、シリコンを充填し周面をフィルムで包囲したシリコン製カップ(40)を積層して形成されることを特徴とするブラジャー。
【請求項２】
ウレタン製カップ(30)は、低反発ウレタンモールドカップである請求項１に記載のブラジャー。
【請求項３】
ウレタン製カップ(30)は、高反発ウレタンモールドカップである請求項１に記載のブラジャー。
【請求項４】
シリコン製カップ(40)は、ウレタン製カップ(30)の前面側に接着される請求項１乃至請求項３の何れかに記載のブラジャー。
【請求項５】
被覆用裏地(24)の後面側には、パッド収容ポケット(26)が形成されており、該パッド収容ポケット(26)には、前記ウレタン製カップ(30)よりも厚手のウレタン製パッド(50)が収容される請求項１乃至請求項４の何れかに記載のブラジャー。
【請求項６】
ウレタン製パッド(50)は、ウレタン製カップ(30)よりも軟質である請求項５に記載のブラジャー。
【考案の詳細な説明】
【技術分野】
【０００１】
本考案は、装着感が良好で、バストを豊かに見せることができ、外からの見た目や感触に自然な感じを有するブラジャーに関するものである。
【背景技術】
【０００２】
カップ部にウレタン等から構成されるカップを収容し、ブラジャーの型くずれを防いだり、バストの形状を補正、調整するブラジャーがある。
例えば、特許文献１では、ウレタン製カップを、外側となる前面側に高硬度弾性層、バストに当たる後面側に低硬度弾性層からなる２層構造とし、肌触りを高めたブラジャーを開示している。
【０００３】
【特許文献１】特開２００１−２００４０３号公報
【考案の開示】
【考案が解決しようとする課題】
【０００４】
前面側を高硬度弾性層から構成することで、ブラジャーを装着したときに、外からの見た目や感触が、自然なバストとは異なり、違和感を抱かれることがある。
【０００５】
本考案の目的は、バストをしっかりと保持し、バストを豊かに見せることができ、さらに、外からの見た目や感触に自然な感じを有するブラジャーを提供することである。
【課題を解決するための手段】
【０００６】
上記課題を解決するために、本考案のブラジャーは、
前面に向けて凸形状のカップを、該カップの前面側の被覆用表地と、カップの後面側の被覆用裏地との間に挟み、被覆用表地と被覆用裏地の周面を縫製して形成される左右一対のカップ部を具えるブラジャーであって、
カップ部は、前面に向けて凸形状のウレタン製カップの前面側に、シリコンを充填し周面をフィルムで包囲したシリコン製カップを積層して形成した。
【０００７】
ウレタン製カップは、低反発ウレタンモールドカップ又は高反発ウレタンモールドカップから構成することができる。
【０００８】
シリコン製カップは、ウレタン製カップの前面側に接着により取り付けることができる。
【０００９】
被覆用裏地の後面側には、パッド収容ポケットが形成されており、該パッド収容ポケットには、前記ウレタン製カップよりも厚手のウレタン製パッドを収容することができる。ウレタン製パッドは、ウレタン製カップよりも軟質であることが望ましい。
【考案の効果】
【００１０】
本考案によれば、バストと接する側となる後面側をウレタン製カップとしたことで、バストをしっかりと保持し、ブラジャー及びバストの型くずれを防止することができる。
また、外側となる前面側をシリコン製カップとしたことで、見た目及び外側からの感触に柔らかさがあり、自然な弾力感を具備することができる。また、シリコン製カップは、ウレタン製カップに比して重量があるから、自然なバストであるかの如き質感、重量感、揺れ等を達成できる。
さらに、シリコン製カップによりバストのボリュームアップを達成することができる。
【００１１】
ウレタン製カップは、低反発ウレタンモールドカップから構成することで、肌ざわりを良くし、バストのフィット感、安定感を高めて、装着感を向上させることができる。
また、ウレタン製カップを、高反発ウレタンモールドカップから構成することで、バストをしっかりと保持し、バストの保形性を高めることができる。
【００１２】
シリコン製カップを、ウレタン製カップに接着することで、柔軟なシリコン製カップの型くずれや偏りを防止できる。
【００１３】
被覆用裏地の後面側に、厚手のウレタン製パッドを収容することで、バストのボリュームアップを図ることができる。また、柔軟なウレタン製パッドを用いることで、バストのフィット感、安定感を高めて、装着感を向上できる。
【考案を実施するための最良の形態】
【００１４】
図１は、本考案を適用することができるブラジャー(10)の一例を示す正面図、図２は、図１の線Ａ−Ａに沿う断面図である。
図１に示すように、ブラジャー(10)は、左右一対のカップ部(20)(20)を中央にて連結帯(12)によって連結し、各カップ部(20)(20)の端に夫々バック布(14)(14)が取り付けられている。カップ部(20)(20)の上部とバック布(14)(14)は、ストラップ(16)(16)で連繋されている。バック布(14)(14)の端部には、バック布(14)(14)どうしを繋ぐホック(18)(18)が取り付けられている。
カップ部(20)(20)、連結帯(12)、バック布(14)(14)、ストラップ(16)(16)等には、模様、装飾等が適宜付されるが、図示はしていない。また、バック布(14)等にレース素材を用いることもできる。さらに、本考案は、ブラジャー(10)の形状を図示に限定するものではなく、ストラップレスのブラジャーや、フロントホック型のブラジャー等にも勿論適用可能である。
【００１５】
カップ部(20)(20)は、図２に示すように、被覆用表地(22)と被覆用裏地(24)によって覆われた内部に、ウレタン製カップ(30)とシリコン製カップ(40)を収容して構成される。
被覆用表地(22)、被覆用裏地(24)は、夫々伸縮性の生地から作製することができ、周面は縫製(23)されている。
カップ部(20)(20)の下縁には、必要に応じて、可撓性のアンダーボーン(28)を配備することができる。
【００１６】
ウレタン製カップ(30)は、低反発ウレタン又は高反発ウレタンを凸形状に成型したウレタンモールドカップから作製することができる。ウレタン製カップ(30)は、前面側(図２中左側)に向けて凸形状となっている。
低反発ウレタンは、高反発ウレタンに比して、柔らかい素材であり、低反発ウレタンモールドカップを用いることで、肌ざわりを良くし、バストのフィット感、安定感を高めて、装着感を向上させることができる。
また、高反発ウレタンモールドカップを用いることで、バストをしっかりと保持し、バストの保形性を高めることができる。
【００１７】
ウレタン製カップ(30)の前面側には、図２に示すように、シリコン製カップ(40)が配備される。
シリコン製カップ(40)は、内部にジェル状のシリコンが充填し、外周をフィルムで包囲して作製することができる。
シリコン製カップ(40)は、ウレタン製カップ(30)に比して、柔らかい素材であり、見た目及び外側からの感触に柔らかさがあり、自然な弾力感を実現できる。
さらに、シリコン製カップ(40)は、ウレタン製カップ(30)に接着により取り付けることができる。シリコン製カップ(40)を、ウレタン製カップ(30)に接着することで、柔軟なシリコン製カップの型くずれや偏りを防止できる。
【００１８】
上記構成のブラジャー(10)を装着することで、バスト側のウレタン製カップ(30)が、バストをしっかりと保持し、前側(外側)のシリコン製カップ(40)により、見た目や感触に柔らかさを実現でき、自然なバストのボリュームアップを達成することができる。
【００１９】
なお、図３に示すように、被覆用裏地(24)の後側に、パッド収容ポケット(26)を形成し、厚手のウレタン製パッド(50)を収容することで、所望に応じたバストのボリュームアップを達成することもできる。ウレタン製パッド(50)は、ウレタン製カップ(30)よりも軟質(低反発)の材料とすることで、バストのフィット感、肌ざわりを高めることができる。
望ましくは、パッド収容ポケット(26)は、ポケット(26)を形成する生地(25)に低反発ウレタン製パッド(50)を出し入れすることができる開口(図示せず)を設け、ウレタン製パッド(50)を着脱可能とする。これにより、所望に応じた厚さのウレタン製パッド(50)を選択し、使用することができる。
【００２０】
なお、上記したウレタン製カップ(30)、シリコン製カップ(40)、低反発ウレタン製パッド(50)の望ましい厚さ、硬さとして、以下を例示できる。
【００２１】
ウレタン製カップ(30)は、厚さ２〜４ｍｍとすることが望ましく、硬さは、高反発ウレタンの場合、低反発ウレタンの４〜５倍とすることが望ましい。
また、シリコン製カップ(40)は、厚さ１０〜１１ｍｍとすることが望ましい。
低反発ウレタン製パッド(50)は、厚さ１５〜１７ｍｍとすることが望ましく、低反発ウレタン製カップ(30)よりも柔らかいものが望まれる。
【００２２】
本考案のブラジャー(10)によれば、バスト側をウレタン製カップ(30)により、バストをしっかりと保持し、また、ブラジャー及びバストの型くずれを防止することができる。
前面側をシリコン製カップ(40)としたことで、見た目及び外側からの感触に柔らかさがあり、自然な弾力感を具備することができる。また、シリコン製カップ(40)の厚さを調整することで、バストのボリュームを調整することもできる。
シリコン製カップ(40)は、ウレタン製カップ(30)に比して、重量があるから、自然なバストであるかの如き質感、重量感、揺れ等を達成できる。従って、シリコン製カップ(40)や低反発ウレタン製パッド(50)でバストのボリュームアップを図る場合でも、ボリュームアップしていることが覚られにくい利点がある。
【００２３】
加えて、被覆用裏地(24)の後面側に、厚手のウレタン製パッド(50)を収容することで、バストのボリュームアップを図ることができる。また、柔軟なウレタン製パッド(50)を用いることで、バストのフィット感、安定感を高めて、装着感を向上できる。
【産業上の利用可能性】
【００２４】
本考案は、装着感が良好で、見た目及び感触が自然なバストに近いブラジャーとして有用である。
【図面の簡単な説明】
【００２５】
【図１】本考案のブラジャーの正面図である。
【図２】図１の線Ａ−Ａに沿う断面図である。
【図３】異なる実施例を示す断面図である。
【符号の説明】
【００２６】
(10)  ブラジャー
(20)  カップ部
(22)  被覆用表地
(24)  被覆用裏地
(26)  パッド収容ポケット
(30)  ウレタン製カップ
(40)  シリコン製カップ
(50)  ウレタン製パッド
【図１】
0003128853.tif 000003
【図２】
0003128853.tif 000004
【図３】
0003128853.tif 000005